(57)【要約】      （修正有）【課題】近年の消費者の多種多様なニーズにおいて、きめが細かいクリーミーな泡立ちの良い洗浄剤組成物を提供する。【解決手段】特定の硫酸エステル塩とアスパラギン酸誘導体とをそれぞれ一種又は二種以上を配合して洗浄剤組成物とする。【選択図】なし【特許請求の範囲】
【請求項１】
一般式（１）
Ｒ１Ｏ（ＣＨ２ＣＨ２Ｏ）ｎＳＯ３Ｍ１    （１）
［式中、Ｒ１は炭素数８〜２２の直鎖状若しくは分岐鎖状のアルキル基又はアルケニル基を表す。ｎは、オキシエチレン基の平均付加モル数を表し、０≦ｎ≦５を示す。またＭ１は、アルカリ金属イオン、アンモニウムイオン又は有機アンモニウムイオンを表す。］
で表される硫酸エステル塩と
一般式（２）
【化１】
2013082802.tif 000010
［式中、Ｒ２は炭素数１０〜２２の直鎖状若しくは分岐鎖状のアルキル基又はアルケニル基を表す。また２個のＭ２は、同一又は異なって、それぞれ水素原子、アルカリ金属イオン、アンモニウムイオン又は有機アンモニウムイオンを表す。］
で表されるアスパラギン酸誘導体を含有する洗浄剤組成物。
【請求項２】
硫酸エステル塩とアスパラギン酸誘導体との比率が重量比で９０：１０〜３０：７０である、請求項１に記載の洗浄剤組成物。
【請求項３】
（I）一般式（１）
Ｒ１Ｏ（ＣＨ２ＣＨ２Ｏ）ｎＳＯ３Ｍ１    （１）
［式中、Ｒ１は炭素数８〜２２の直鎖状若しくは分岐鎖状のアルキル基又はアルケニル基を表す。ｎは、オキシエチレン基の平均付加モル数を表し、０≦ｎ≦５を示す。またＭ１は、アルカリ金属イオン、アンモニウムイオン又は有機アンモニウムイオンを表す。］
で表される硫酸エステル塩と
一般式（２）
【化２】
2013082802.tif 000011
［式中、Ｒ２は炭素数１０〜２２の直鎖状若しくは分岐鎖状のアルキル基又はアルケニル基を表す。また２個のＭ２は、同一又は異なって、それぞれ水素原子、アルカリ金属イオン、アンモニウムイオン又は有機アンモニウムイオンを表す。］
で表されるアスパラギン酸誘導体を配合する工程、
（II）一般式（３）
Ｒ１Ｏ（ＣＨ２ＣＨ２Ｏ）ｎＳＯ３Ｈ    （３）
［式中、Ｒ１及びｎは、一般式（１）におけると同義である。］
で表される硫酸エステルと
一般式（４）
【化３】
2013082802.tif 000012
［式中、Ｒ２は一般式（２）におけると同義である］
で表されるアスパラギン酸化合物とアルカリ性化合物を配合する工程、
（III）    
一般式（１）
Ｒ１Ｏ（ＣＨ２ＣＨ２Ｏ）ｎＳＯ３Ｍ１    （１）
［式中、Ｒ１は炭素数８〜２２の直鎖状若しくは分岐鎖状のアルキル基又はアルケニル基を表す。ｎは、オキシエチレン基の平均付加モル数を表し、０≦ｎ≦５を示す。またＭ１は、アルカリ金属イオン、アンモニウムイオン又は有機アンモニウムイオンを表す。］
で表される硫酸エステル塩と
一般式（４）
【化４】
2013082802.tif 000013
［式中、Ｒ２は一般式（２）におけると同義である］
で表されるアスパラギン酸化合物とアルカリ性化合物を配合する工程、及び
（IV）一般式（３）
Ｒ１Ｏ（ＣＨ２ＣＨ２Ｏ）ｎＳＯ３Ｈ    （３）
［式中、Ｒ１及びｎは、一般式（１）におけると同義である。］
で表される硫酸エステルと
一般式（２）
【化５】
2013082802.tif 000014
［式中、Ｒ２は炭素数１０〜２２の直鎖状若しくは分岐鎖状のアルキル基又はアルケニル基を表す。また２個のＭ２は、同一又は異なって、それぞれ水素原子、アルカリ金属イオン、アンモニウムイオン又は有機アンモニウムイオンを表す。］
で表されるアスパラギン酸誘導体とアルカリ性化合物を配合する工程
から選ばれる工程を一以上具備する方法により得られる洗浄剤組成物。
【発明の詳細な説明】
【技術分野】
【０００１】
本発明は、洗浄剤組成物に関するものである。
【背景技術】
【０００２】
ポリオキシエチレンアルキルエーテル硫酸ナトリウムまたはアルキル硫酸ナトリウム等の硫酸エステル塩は、その洗浄力、泡立ちの良さ、水の硬度に影響を受け難いことから、広く洗浄剤組成物の主成分として使用されているものの、高級脂肪酸塩を主成分とする石けんと比較して、泡のきめは粗く、クリーミーさにやや劣る。
近年、洗顔料やボディソープに代表される洗浄剤組成物は、化粧や汚れを落とすという洗浄作用、すすぎ性、低刺激性等の基本性能に加えて、さらに高性能化や高機能化を施し付加価値を高めて上市されている。前記付加価値を高める特性としては、例えば泡の特性（起泡性、泡の質感、泡の持続性等）、洗浄後の皮膚感触といった使用感、香り等の感性的な性能などが挙げられる。
泡の特性の改質方法として、ポリオキシエチレンアルキルエーテル硫酸ナトリウムやアルキル硫酸ナトリウム等の硫酸エステル塩を含有する洗浄剤組成物に対して、高級アルコールや水溶性高分子を配合する方法が行われている。
これまでにも従来の界面活性剤や高分子化合物などを組み合わせて併用することにより、種々の性能の改良が試みられている。しかし、未だに全ての基本性能と感性的な性能を同時に満足させることは難しく、今なお消費者の個々のニーズに対する改善方法が個々に提案されているのが現状である（特許文献１）。
【先行技術文献】
【特許文献】
【０００３】
【特許文献１】特開２００１−２６７９５号公報
【発明の概要】
【発明が解決しようとする課題】
【０００４】
本発明は、近年の消費者の多種多様なニーズにおいて、きめが細かいクリーミーな泡立ちの良い洗浄剤組成物を提供することを目的とする。
【課題を解決するための手段】
【０００５】
本発明者らは、鋭意検討した結果、特定のポリオキシエチレンアルキルエーテル硫酸エステル塩及び／又はアルキル硫酸エステル塩と特定のアスパラギン酸誘導体を配合することにより、前記硫酸エステル塩やアスパラギン酸誘導体を単独で使用する場合と比較して、泡質が向上する効果があること、さらに驚くべきことにその硫酸エステル塩とアスパラギン酸誘導体の配合比率が特定の範囲において、その効果が高くなることを見出した。
【０００６】
すなわち本発明は、以下の項目の洗浄剤組成物を提供するものであり、該洗浄剤組成物は、下記一般式（１）で表される硫酸エステル塩から選ばれる少なくとも一種と、下記一般式（２）で表されるアスパラギン酸誘導体（即ちＮ−アルキル（又はＮ−アルケニル）アスパラギン酸及びその塩）から選ばれる少なくとも一種とを含有することが特徴である。
【０００７】
（項１）  一般式（１）
Ｒ１Ｏ（ＣＨ２ＣＨ２Ｏ）ｎＳＯ３Ｍ１    （１）
［式中、Ｒ１は炭素数８〜２２の直鎖状若しくは分岐鎖状のアルキル基又はアルケニル基を表す。ｎは、オキシエチレン基の平均付加モル数を表し、０≦ｎ≦５を示す。またＭ１は、アルカリ金属イオン、アンモニウムイオン又は有機アンモニウムイオンを表す。］
で表される硫酸エステル塩と
一般式（２）
【化１】
2013082802.tif 000002
［式中、Ｒ２は炭素数１０〜２２の直鎖状若しくは分岐鎖状のアルキル基又はアルケニル基を表す。また２個のＭ２は、同一又は異なって、それぞれ水素原子、アルカリ金属イオン、アンモニウムイオン又は有機アンモニウムイオンを表す。］
で表されるアスパラギン酸誘導体を含有する洗浄剤組成物。
【０００８】
（項２）  硫酸エステル塩とアスパラギン酸誘導体との比率が重量比で９０：１０〜３０：７０である、上記項１に記載の洗浄剤組成物。
【０００９】
（項３）  洗浄剤組成物中の全界面活性剤に対して、硫酸エステル塩とアスパラギン酸誘導体の合計重量が５０重量％以上である、上記項１又は項２に記載の洗浄剤組成物。
【００１０】
（項４）  （I）一般式（１）
Ｒ１Ｏ（ＣＨ２ＣＨ２Ｏ）ｎＳＯ３Ｍ１    （１）
［式中、Ｒ１は炭素数８〜２２の直鎖状若しくは分岐鎖状のアルキル基又はアルケニル基を表す。ｎは、オキシエチレン基の平均付加モル数を表し、０≦ｎ≦５を示す。またＭ１は、アルカリ金属イオン、アンモニウムイオン又は有機アンモニウムイオンを表す。］
で表される硫酸エステル塩と
一般式（２）
【化２】
2013082802.tif 000003
［式中、Ｒ２は炭素数１０〜２２の直鎖状若しくは分岐鎖状のアルキル基又はアルケニル基を表す。また２個のＭ２は、同一又は異なって、それぞれ水素原子、アルカリ金属イオン、アンモニウムイオン又は有機アンモニウムイオンを表す。］
で表されるアスパラギン酸誘導体を配合する工程、
（II）一般式（３）
Ｒ１Ｏ（ＣＨ２ＣＨ２Ｏ）ｎＳＯ３Ｈ    （３）
［式中、Ｒ１及びｎは、一般式（１）におけると同義である。］
で表される硫酸エステルと
一般式（４）
【化３】
2013082802.tif 000004
［式中、Ｒ２は一般式（２）におけると同義である］
で表されるアスパラギン酸化合物とアルカリ性化合物を配合する工程、
（III）    
一般式（１）
Ｒ１Ｏ（ＣＨ２ＣＨ２Ｏ）ｎＳＯ３Ｍ１    （１）
［式中、Ｒ１は炭素数８〜２２の直鎖状若しくは分岐鎖状のアルキル基又はアルケニル基を表す。ｎは、オキシエチレン基の平均付加モル数を表し、０≦ｎ≦５を示す。またＭ１は、アルカリ金属イオン、アンモニウムイオン又は有機アンモニウムイオンを表す。］
で表される硫酸エステル塩と
一般式（４）
【化４】
2013082802.tif 000005
［式中、Ｒ２は一般式（２）におけると同義である］
で表されるアスパラギン酸化合物とアルカリ性化合物を配合する工程、及び
（IV）一般式（３）
Ｒ１Ｏ（ＣＨ２ＣＨ２Ｏ）ｎＳＯ３Ｈ    （３）
［式中、Ｒ１及びｎは、一般式（１）におけると同義である。］
で表される硫酸エステルと
一般式（２）
【化５】
2013082802.tif 000006
［式中、Ｒ２は炭素数１０〜２２の直鎖状若しくは分岐鎖状のアルキル基又はアルケニル基を表す。また２個のＭ２は、同一又は異なって、それぞれ水素原子、アルカリ金属イオン、アンモニウムイオン又は有機アンモニウムイオンを表す。］
で表されるアスパラギン酸誘導体とアルカリ性化合物を配合する工程
から選ばれる工程を一以上具備する方法により得られる洗浄剤組成物。
【００１１】
（項５）  硫酸エステル塩とアスパラギン酸誘導体との配合比率が重量比で９０：１０〜３０：７０である（なお、前記硫酸エステル塩は硫酸エステルとアルカリ性化合物から得られる硫酸エステル塩を含む。また前記アスパラギン酸誘導体はアスパラギン酸化合物とアルカリ性化合物から得られるアスパラギン酸誘導体を含む。）、上記項３又は項４に記載の洗浄剤組成物。
【００１２】
（項６）  洗浄剤組成物中の全界面活性剤に対して、硫酸エステル塩とアスパラギン酸誘導体の合計重量が５０重量％以上である（なお、前記硫酸エステル塩は硫酸エステルとアルカリ性化合物から得られる硫酸エステル塩を含む。また前記アスパラギン酸誘導体はアスパラギン酸化合物とアルカリ性化合物から得られるアスパラギン酸誘導体を含む。）、上記項４又は項５に記載の洗浄剤組成物。
【発明の効果】
【００１３】
本発明によれば、きめが細かいクリーミーな泡立ちの良い洗浄剤組成物を得ることができる。
【発明を実施するための形態】
【００１４】
本発明の洗浄剤組成物は、上記一般式（１）で表される硫酸エステル塩から選ばれる少なくとも一種と上記一般式（２）で表されるアスパラギン酸誘導体から選ばれる少なくとも一種を含有することを特徴とする。
上記一般式（１）におけるＲ１は、炭素数８〜２２の直鎖状若しくは分岐鎖状のアルキル基又はアルケニル基である。起泡力及び洗浄力の観点から、Ｒ１は、好ましくは１０〜１８、より好ましくは１０〜１６の直鎖状若しくは分岐鎖状のアルキル基又はアルケニル基が推奨される。
具体的には、ｎ−オクチル基、２−エチルヘキシル基、ｎ−デシル基、ラウリル基、ミリスチル基、パルミチル基、ステアリル基、アラキジル基、ベヘニル基、オレイル基、リノール基、リノレニル基、イソステアリル基、ヤシ油アルキル基、パーム核油アルキル基、パーム油アルキル基、大豆油アルキル基等が例示され、好ましくはｎ−デシル基、ラウリル基、ミリスチル基、パルミチル基、ステアリル基、オレイル基、特にｎ−デシル基、ラウリル基、ミリスチル基、パルミチル基が推奨される。
【００１５】
上記一般式（１）におけるｎは、オキシエチレン基の平均付加モル数を表し、０≦ｎ≦５（即ち０又は０＜≦５）である。起泡力及び洗浄力の観点から、好ましくは０≦ｎ≦３（即ち０又は０＜ｎ≦３）が推奨される。
【００１６】
また、硫酸エステル塩を構成する対カチオンとしては、カリウムイオン、ナトリウムイオン、リチウムイオン等のアルカリ金属イオン、アンモニウムイオン、モノエタノールアンモニウムイオン、Ｎ−メチルモノエタノールアンモニウム、Ｎ−ブチルモノエタノールアンモニウム、ジエタノールアンモニウムイオン、トリエタノールアンモニウムイオン、イソプロパノールアンモニウムイオン、２−ヒドロキシメチル−２−プロピルアンモニウムイオン等のアルカノールアンモニウムイオン、リシン、アルギニン等の塩基性アミノ酸のアンモニウムイオンなどの有機アンモニウムイオンであり、好ましくはカリウムイオン、ナトリウムイオン、トリエタノールアンモニウムイオン、アンモニウムイオンが推奨される。
【００１７】
本発明に係る硫酸エステル塩としては、具体的には、ｎ−オクチル硫酸ナトリウム、２−エチルヘキシル硫酸ナトリウム、ｎ−デシル硫酸ナトリウム、ラウリル硫酸ナトリウム、ミリスチル硫酸ナトリウム、パルミチル硫酸ナトリウム、ステアリル硫酸ナトリウム、アラキジル硫酸ナトリウム、ベヘニル硫酸ナトリウム、オレイル硫酸ナトリウム、リノール硫酸ナトリウム、リノレニル硫酸ナトリウム、イソステアリル硫酸ナトリウム、ヤシ油アルキル硫酸ナトリウム、パーム油アルキル硫酸ナトリウム、パーム核油アルキル硫酸ナトリウム、大豆油アルキル硫酸ナトリウム、ｎ−オクチル硫酸カリウム、２−エチルヘキシル硫酸カリウム、ｎ−デシル硫酸カリウム、ラウリル硫酸カリウム、ミリスチル硫酸カリウム、パルミチル硫酸カリウム、ステアリル硫酸カリウム、アラキジル硫酸カリウム、ベヘニル硫酸カリウム、オレイル硫酸カリウム、リノール硫酸カリウム、リノレニル硫酸カリウム、イソステアリル硫酸カリウム、ヤシ油アルキル硫酸カリウム、パーム油アルキル硫酸カリウム、パーム核油アルキル硫酸カリウム、大豆油アルキル硫酸カリウム、ｎ−オクチル硫酸アンモニウム、２−エチルヘキシル硫酸アンモニウム、ｎ−デシル硫酸アンモニウム、ラウリル硫酸アンモニウム、ミリスチル硫酸アンモニウム、パルミチル硫酸アンモニウム、ステアリル硫酸アンモニウム、アラキジル硫酸アンモニウム、ベヘニル硫酸アンモニウム、オレイル硫酸アンモニウム、リノール硫酸アンモニウム、リノレニル硫酸アンモニウム、イソステアリル硫酸アンモニウム、ヤシ油アルキル硫酸アンモニウム、パーム油アルキル硫酸アンモニウム、パーム核油アルキル硫酸アンモニウム、大豆油アルキル硫酸アンモニウム、ｎ−オクチル硫酸トリエタノールアミン、２−エチルヘキシル硫酸トリエタノールアミン、ｎ−デシル硫酸トリエタノールアミン、ラウリル硫酸トリエタノールアミン、ミリスチル硫酸トリエタノールアミン、パルミチル硫酸トリエタノールアミン、ステアリル硫酸トリエタノールアミン、アラキジル硫酸トリエタノールアミン、ベヘニル硫酸トリエタノールアミン、オレイル硫酸トリエタノールアミン、リノール硫酸トリエタノールアミン、リノレニル硫酸トリエタノールアミン、イソステアリル硫酸トリエタノールアミン、ヤシ油アルキル硫酸トリエタノールアミン、パーム油アルキル硫酸トリエタノールアミン、パーム核油アルキル硫酸トリエタノールアミン、大豆油アルキル硫酸トリエタノールアミン等のアルキル硫酸エステル塩、
【００１８】
ポリオキシエチレン（１〜５）−ｎ−オクチルエーテル硫酸ナトリウム［なお、前記（ ） 内の数値はオキシエチレン基の平均付加モル数を表し、以下同様である。］、ポリオキシエチレン（１〜５）−２−エチルヘキシルエーテル硫酸ナトリウム、ポリオキシエチレン（１〜５）−ｎ−デシルエーテル硫酸ナトリウム、ポリオキシエチレン（１〜５）ラウリルエーテル硫酸ナトリウム、ポリオキシエチレン（１〜５）ミリスチルエーテル硫酸ナトリウム、ポリオキシエチレン（１〜５）パルミチルエーテル硫酸ナトリウム、ポリオキシエチレン（１〜５）ステアリルエーテル硫酸ナトリウム、ポリオキシエチレン（１〜５）アラキジルエーテル硫酸ナトリウム、ポリオキシエチレン（１〜５）ベヘニルエーテル硫酸ナトリウム、ポリオキシエチレン（１〜５）オレイルエーテル硫酸ナトリウム、ポリオキシエチレン（１〜５）リノールエーテル硫酸ナトリウム、ポリオキシエチレン（１〜５）リノレニルエーテル硫酸ナトリウム、ポリオキシエチレン（１〜５）イソステアリルエーテル硫酸ナトリウム、ポリオキシエチレン（１〜５）ヤシ油アルキルエーテル硫酸ナトリウム、ポリオキシエチレン（１〜５）パーム油アルキルエーテル硫酸ナトリウム、ポリオキシエチレン（１〜５）パーム核油アルキルエーテル硫酸ナトリウム、ポリオキシエチレン（１〜５）大豆油アルキルエーテル硫酸ナトリウム、ポリオキシエチレン（１〜５）−ｎ−オクチルエーテル硫酸カリウム、ポリオキシエチレン（１〜５）−２−エチルヘキシルエーテル硫酸カリウム、ポリオキシエチレン（１〜５）−ｎ−デシルエーテル硫酸カリウム、ポリオキシエチレン（１〜５）ラウリルエーテル硫酸カリウム、ポリオキシエチレン（１〜５）ミリスチルエーテル硫酸カリウム、ポリオキシエチレン（１〜５）パルミチルエーテル硫酸カリウム、ポリオキシエチレン（１〜５）ステアリルエーテル硫酸カリウム、ポリオキシエチレン（１〜５）アラキジルエーテル硫酸カリウム、ポリオキシエチレン（１〜５）ベヘニルエーテル硫酸カリウム、ポリオキシエチレン（１〜５）オレイルエーテル硫酸カリウム、ポリオキシエチレン（１〜５）リノールエーテル硫酸カリウム、ポリオキシエチレン（１〜５）リノレニルエーテル硫酸カリウム、ポリオキシエチレン（１〜５）イソステアリルエーテル硫酸カリウム、ポリオキシエチレン（１〜５）ヤシ油アルキルエーテル硫酸カリウム、ポリオキシエチレン（１〜５）パーム油アルキルエーテル硫酸カリウム、ポリオキシエチレン（１〜５）パーム核油アルキルエーテル硫酸カリウム、ポリオキシエチレン（１〜５）大豆油アルキルエーテル硫酸カリウム、ポリオキシエチレン（１〜５）−ｎ−オクチルエーテル硫酸アンモニウム、ポリオキシエチレン（１〜５）−２−エチルヘキシルエーテル硫酸アンモニウム、ポリオキシエチレン（１〜５）−ｎ−デシルエーテル硫酸アンモニウム、ポリオキシエチレン（１〜５）ラウリルエーテル硫酸アンモニウム、ポリオキシエチレン（１〜５）ミリスチルエーテル硫酸アンモニウム、ポリオキシエチレン（１〜５）パルミチルエーテル硫酸アンモニウム、ポリオキシエチレン（１〜５）ステアリルエーテル硫酸アンモニウム、ポリオキシエチレン（１〜５）アラキジルエ���テル硫酸アンモニウム、ポリオキシエチレン（１〜５）ベヘニルエーテル硫酸アンモニウム、ポリオキシエチレン（１〜５）オレイルエーテル硫酸アンモニウム、ポリオキシエチレン（１〜５）リノールエーテル硫酸アンモニウム、ポリオキシエチレン（１〜５）リノレニルエーテル硫酸アンモニウム、ポリオキシエチレン（１〜５）イソステアリルエーテル硫酸アンモニウム、ポリオキシエチレン（１〜５）ヤシ油アルキルエーテル硫酸アンモニウム、ポリオキシエチレン（１〜５）パーム油アルキルエーテル硫酸アンモニウム、ポリオキシエチレン（１〜５）パーム核油アルキルエーテル硫酸アンモニウム、ポリオキシエチレン（１〜５）大豆油アルキルエーテル硫酸アンモニウム、ポリオキシエチレン（１〜５）−ｎ−オクチルエーテル硫酸トリエタノールアミン、ポリオキシエチレン（１〜５）−２−エチルヘキシルエーテル硫酸トリエタノールアミン、ポリオキシエチレン（１〜５）−ｎ−デシルエーテル硫酸トリエタノールアミン、ポリオキシエチレン（１〜５）ラウリルエーテル硫酸トリエタノールアミン、ポリオキシエチレン（１〜５）ミリスチルエーテル硫酸トリエタノールアミン、ポリオキシエチレン（１〜５）パルミチルエーテル硫酸トリエタノールアミン、ポリオキシエチレン（１〜５）ステアリルエーテル硫酸トリエタノールアミン、ポリオキシエチレン（１〜５）アラキジルエーテル硫酸トリエタノールアミン、ポリオキシエチレン（１〜５）ベヘニルエーテル硫酸トリエタノールアミン、ポリオキシエチレン（１〜５）オレイルエーテル硫酸トリエタノールアミン、ポリオキシエチレン（１〜５）リノールエーテル硫酸トリエタノールアミン、ポリオキシエチレン（１〜５）リノレニルエーテル硫酸トリエタノールアミン、ポリオキシエチレン（１〜５）イソステアリルエーテル硫酸トリエタノールアミン、ポリオキシエチレン（１〜５）ヤシ油アルキルエーテル硫酸トリエタノールアミン、ポリオキシエチレン（１〜５）パーム油アルキルエーテル硫酸トリエタノールアミン、ポリオキシエチレン（１〜５）パーム核油アルキルエーテル硫酸トリエタノールアミン、ポリオキシエチレン（１〜５）大豆油アルキルエーテル硫酸トリエタノールアミン等のポリオキシエチレンアルキルエーテル硫酸塩が例示される。
【００１９】
これらの中でも、より安定的な本発明の効果の発揮の観点から、ｎ−デシル硫酸ナトリウム、ラウリル硫酸ナトリウム、ミリスチル硫酸ナトリウム、パルミチル硫酸ナトリウム、ステアリル硫酸ナトリウム、オレイル硫酸ナトリウム、ｎ−デシル硫酸カリウム、ラウリル硫酸カリウム、ミリスチル硫酸カリウム、パルミチル硫酸カリウム、ステアリル硫酸カリウム、オレイル硫酸カリウム、ｎ−デシル硫酸アンモニウム、ラウリル硫酸アンモニウム、ミリスチル硫酸アンモニウム、パルミチル硫酸アンモニウム、ステアリル硫酸アンモニウム、オレイル硫酸アンモニウム、ｎ−デシル硫酸トリエタノールアミン、ラウリル硫酸トリエタノールアミン、ミリスチル硫酸トリエタノールアミン、パルミチル硫酸トリエタノールアミン、ステアリル硫酸トリエタノールアミン、オレイル硫酸トリエタノールアミンのアルキル硫酸エステル塩、
ポリオキシエチレン（１〜５）−ｎ−デシルエーテル硫酸ナトリウム、ポリオキシエチレン（１〜５）ラウリルエーテル硫酸ナトリウム、ポリオキシエチレン（１〜５）ミリスチルエーテル硫酸ナトリウム、ポリオキシエチレン（１〜５）パルミチルエーテル硫酸ナトリウム、ポリオキシエチレン（１〜５）ステアリルエーテル硫酸ナトリウム、ポリオキシエチレン（１〜５）オレイルエーテル硫酸ナトリウム、ポリオキシエチレン（１〜５）−ｎ−デシルエーテル硫酸カリウム、ポリオキシエチレン（１〜５）ラウリルエーテル硫酸カリウム、ポリオキシエチレン（１〜５）ミリスチルエーテル硫酸カリウム、ポリオキシエチレン（１〜５）パルミチルエーテル硫酸カリウム、ポリオキシエチレン（１〜５）ステアリルエーテル硫酸カリウム、ポリオキシエチレン（１〜５）オレイルエーテル硫酸カリウム、ポリオキシエチレン（１〜５）−ｎ−デシルエーテル硫酸アンモニウム、ポリオキシエチレン（１〜５）ラウリルエーテル硫酸アンモニウム、ポリオキシエチレン（１〜５）ミリスチルエーテル硫酸アンモニウム、ポリオキシエチレン（１〜５）パルミチルエーテル硫酸アンモニウム、ポリオキシエチレン（１〜５）ステアリルエーテル硫酸アンモニウム、ポリオキシエチレン（１〜５）オレイルエーテル硫酸アンモニウム、ポリオキシエチレン（１〜５）−ｎ−デシルエーテル硫酸トリエタノールアミン、ポリオキシエチレン（１〜５）ラウリルエーテル硫酸トリエタノールアミン、ポリオキシエチレン（１〜５）ミリスチルエーテル硫酸トリエタノールアミン、ポリオキシエチレン（１〜５）パルミチルエーテル硫酸トリエタノールアミン、ポリオキシエチレン（１〜５）ステアリルエーテル硫酸トリエタノールアミン、ポリオキシエチレン（１〜５）オレイルエーテル硫酸トリエタノールアミンのポリオキシエチレンアルキルエーテル硫酸塩、
特に、ｎ−デシル硫酸ナトリウム、ラウリル硫酸ナトリウム、ミリスチル硫酸ナトリウム、パルミチル硫酸ナトリウム、ｎ−デシル硫酸カリウム、ラウリル硫酸カリウム、ミリスチル硫酸カリウム、パルミチル硫酸カリウム、ｎ−デシル硫酸アンモニウム、ラウリル硫酸アンモニウム、ミリスチル硫酸アンモニウム、パルミチル硫酸アンモニウム、ｎ−デシル硫酸トリエタノールアミン、ラウリル硫酸トリエタノールアミン、ミリスチル硫酸トリエタノールアミン、パルミチル硫酸トリエタノールアミンのアルキル硫酸エステル塩、
ポリオキシエチレン（１〜５）−ｎ−デシルエーテル硫酸ナトリウム、ポリオキシエチレン（１〜５）ラウリルエーテル硫酸ナトリウム、ポリオキシエチレン（１〜５）ミリスチルエーテル硫酸ナトリウム、ポリオキシエチレン（１〜５）パルミチルエーテル硫酸ナトリウム、ポリオキシエチレン（１〜５）−ｎ−デシルエーテル硫酸カリウム、ポリオキシエチレン（１〜５）ラウリルエーテル硫酸カリウム、ポリオキシエチレン（１〜５）ミリスチルエーテル硫酸カリウム、ポリオキシエチレン（１〜５）パルミチルエーテル硫酸カリウム、ポリオキシエチレン（１〜５）ステアリルエーテル硫酸カリウム、ポリオキシエチレン（１〜５）オレイルエーテル硫酸カリウム、ポリオキシエチレン（１〜５）−ｎ−デシルエーテル硫酸アンモニウム、ポリオキシエチレン（１〜５）ラウリルエーテル硫酸アンモニウム、ポリオキシエチレン（１〜５）ミリスチルエーテル硫酸アンモニウム、ポリオキシエチレン（１〜５）パルミチルエーテル硫酸アンモニウム、ポリオキシエチレン（１〜５）−ｎ−デシルエーテル硫酸トリエタノールアミン、ポリオキシエチレン（１〜５）ラウリルエーテル硫酸トリエタノールアミン、ポリオキシエチレン（１〜５）ミリスチルエーテル硫酸トリエタノールアミン、ポリオキシエチレン（１〜５）パルミチルエーテル硫酸トリエタノールアミンのポリオキシエチレンアルキルエーテル硫酸塩が推奨される。
【００２０】
これらは、単独で又は２種以上を適宜組み合わせて含有させることができる。
【００２１】
また本発明に係る硫酸エステル塩は、特に限定はなく、市販されているものや公知の方法で製造されたものを使用することができる。市販品は、例えば「２０１１年版１５９１１の化学商品（発行所；化学工業日報社，発行日２０１１年１月２５日）」や「日本化粧品原料集２００７（発行所；薬事日報社，日本化粧品工業連合会編）」に記載の多くのメーカから市販されている。
【００２２】
本発明に係るアスパラギン酸誘導体は、上記一般式（２）で表される化合物である。一般式（２）におけるＲ２は、炭素数１０〜２２の直鎖状若しくは分岐鎖状のアルキル基またはアルケニル基であり、好ましくは１２〜２２、より好ましくは１２〜１８の直鎖状若しくは分岐鎖状のアルキル基またはアルケニル基が推奨される。
具体的には、ｎ−デシル基、ラウリル基、ミリスチル基、パルミチル基、ステアリル基、アラキジル基、ベヘニル基、オレイル基、リノール基、リノレニル基、イソステアリル基、ヤシ油アルキル基、パーム核油アルキル基、パーム油アルキル基、大豆油アルキル基等が例示され、好ましくはラウリル基、ミリスチル基、パルミチル基、ステアリル基、オレイル基、ヤシ油アルキル基、パーム核油アルキル基、パーム油アルキル基が推奨される。
【００２３】
またアスパラギン酸誘導体を構成する２つのＭ２は、同一又は異なって、それぞれ、水素原子、アルカリ金属イオン、アンモニウムイオン、有機アンモニウムイオンを表す。
アルカリ金属イオンとしては、リチウムイオン、ナトリウムイオン、カリウムイオン等が例示され、好ましくはナトリウムイオン、カリウムイオンが推奨される。
有機アンモニウムイオンとしては、モノエタノールアンモニウムイオン、Ｎ−メチルモノエタノールアンモニウムイオン、Ｎ−ブチルモノエタノールアンモニウムイオン、ジエタノールアンモニウムイオン、トリエタノールアンモニウムイオン、イソプロパノールアンモニウムイオン、２−ヒドロキシメチル−２−プロピルアンモニウムイオン等のアルカノールアンモニウムイオン、リシン、アルギニン等の塩基性アミノ酸のアンモニウムイオン等が例示され、好ましくはナトリウムイオン、カリウムイオン、トリエタノールアンモニウムイオン、アンモニウムイオンが推奨される。
【００２４】
本発明に係るアスパラギン酸誘導体としては、具体的には、Ｎ−ｎ−デシルアスパラギン酸一ナトリウム、Ｎ−ｎ−デシルアスパラギン酸一カリウム、Ｎ−ｎ−デシルアスパラギン酸一アンモニウム、Ｎ−ｎ−デシルアスパラギン酸一トリエタノールアミン、Ｎ−ラウリルアスパラギン酸一ナトリウム、Ｎ−ラウリルアスパラギン酸一カリウム、Ｎ−ラウリルアスパラギン酸一アンモニウム、Ｎ−ラウリルアスパラギン酸一トリエタノールアミン、Ｎ−ミリスチルアスパラギン酸一ナトリウム、Ｎ−ミリスチルアスパラギン酸一カリウム、Ｎ−ミリスチルアスパラギン酸一アンモニウム、Ｎ−ミリスチルアスパラギン酸一トリエタノールアミン、Ｎ−パルミチルアスパラギン酸一ナトリウム、Ｎ−パルミチルアスパラギン酸一カリウム、Ｎ−パルミチルアスパラギン酸一アンモニウム、Ｎ−パルミチルアスパラギン酸一トリエタノールアミン、Ｎ−ステアリルアスパラギン酸一ナトリウム、Ｎ−ステアリルアスパラギン酸一カリウム、Ｎ−ステアリルアスパラギン酸一アンモニウム、Ｎ−ステアリルアスパラギン酸一トリエタノールアミン、Ｎ−オレイルアスパラギン酸一ナトリウム、Ｎ−オレイルアスパラギン酸一カリウム、Ｎ−オレイルアスパラギン酸一アンモニウム、Ｎ−オレイルアスパラギン酸一トリエタノールアミン、Ｎ−イソステアリルアスパラギン酸一ナトリウム、Ｎ−イソステアリルアスパラギン酸一カリウム、Ｎ−イソステアリルアスパラギン酸一アンモニウム、Ｎ−イソステアリルアスパラギン酸一トリエタノールアミン、Ｎ−アラキジルアスパラギン酸一ナトリウム、Ｎ−アラキジルアスパラギン酸一カリウム、Ｎ−アラキジルアスパラギン酸一アンモニウム、Ｎ−アラキジルアスパラギン酸一トリエタノールアミン、Ｎ−ベヘニルアスパラギン酸一ナトリウム、Ｎ−ベヘニルアスパラギン酸一カリウム、Ｎ−ベヘニルアスパラギン酸一アンモニウム、Ｎ−ベヘニルアスパラギン酸一トリエタノールアミン、Ｎ−ヤシ油アルキルアスパラギン酸一ナトリウム、Ｎ−ヤシ油アルキルアスパラギン酸一カリウム、Ｎ−ヤシ油アルキルアスパラギン酸一アンモニウム、Ｎ−ヤシ油アルキルアスパラギン酸一トリエタノールアミン、Ｎ−パーム核油アルキルアスパラギン酸一ナトリウム、Ｎ−パーム核油アルキルアスパラギン酸一カリウム、Ｎ−パーム核油アルキルアスパラギン酸一アンモニウム、Ｎ−パーム核油アルキルアスパラギン酸一トリエタノールアミン、Ｎ−パーム油アルキルアスパラギン酸一ナトリウム、Ｎ−パーム油アルキルアスパラギン酸一カリウム、Ｎ−パーム油アルキルアスパラギン酸一アンモニウム、Ｎ−パーム油アルキルアスパラギン酸一トリエタノールアミン、Ｎ−ｎ−デシルアスパラギン酸、Ｎ−ラウリルアスパラギン酸、Ｎ−ミリスチルアスパラギン酸、Ｎ−パルミチルアスパラギン酸、Ｎ−ステアリルアスパラギン酸、Ｎ−オレイルアスパラギン酸、Ｎ−アラキジルアスパラギン酸、Ｎ−ベヘニルアスパラギン酸、Ｎ−イソステアリルアスパラギン酸、Ｎ−ヤシ油アルキルアスパラギン酸、Ｎ−パーム核油アルキルアスパラギン酸、Ｎ−パーム油アルキルアスパラギン酸、Ｎ−ｎ−デシルアスパラギン酸二ナトリウム、Ｎ−ラウリルアスパラギン酸二ナトリウム、Ｎ−ミリスチルアスパラギン酸二ナトリウム、Ｎ−パルミチルアスパラギン酸二ナトリウム、Ｎ−ステアリルアスパラギン酸二ナトリウム、Ｎ−オレイルアスパラギン酸二ナトリウム、Ｎ−アラキジルアスパラギン酸二ナトリウム、Ｎ−ベヘニルアスパラギン酸二ナトリウム、Ｎ−イソステアリルアスパラギン酸二ナトリウム、Ｎ−ヤシ油アルキルアスパラギン酸二ナトリウム、Ｎ−パーム核油アルキルアスパラギン酸二ナトリウム、Ｎ−パーム油アルキルアスパラギン酸二ナトリウム、Ｎ−ｎ−デシルアスパラギン酸二カリウム、Ｎ−ラウリルアスパラギン酸二カリウム、Ｎ−ミリスチルアスパラギン酸二カリウム、Ｎ−パルミチルアスパラギン酸二カリウム、Ｎ−ステアリルアスパラギン酸二カリウム、Ｎ−オレイルアスパラギン酸二カリウム、Ｎ−アラキジルアスパラギン酸二カリウム、Ｎ−ベヘニルアスパラギン酸二カリウム、Ｎ−イソステアリルアスパラギン酸二カリウム、Ｎ−ヤシ油アルキルアスパラギン酸二カリウム、Ｎ−パーム核油アルキルアスパラギン酸二カリウム、Ｎ−パーム油アルキルアスパラギン酸二カリウム、Ｎ−ｎ−デシルアスパラギン酸二アンモニウム、Ｎ−ラウリルアスパラギン酸二アンモニウム、Ｎ−ミリスチルアスパラギン酸二アンモニウム、Ｎ−パルミチルアスパラギン酸二アンモニウム、Ｎ−ステアリルアスパラギン酸二アンモニウム、Ｎ−オレイルアスパラギン酸二アンモニウム、Ｎ−アラキジルアスパラギン酸二アンモニウム、Ｎ−ベヘニルアスパラギン酸二アンモニウム、Ｎ−イソステアリルアスパラギン酸二アンモニウム、Ｎ−ヤシ油アルキルアスパラギン酸二アンモニウム、Ｎ−パーム核油アルキルアスパラギン酸二アンモニウム、Ｎ−パーム油アルキルアスパラギン酸二アンモニウム、Ｎ−ｎ−デシルアスパラギン酸ビス（トリエタノールアミン）、Ｎ−ラウリルアスパラギン酸ビス（トリエタノールアミン）、Ｎ−ミリスチルアスパラギン酸ビス（トリエタノールアミン）、Ｎ−パルミチルアスパラギン酸ビス（トリエタノールアミン）、Ｎ−ステアリルアスパラギン酸ビス（トリエタノールアミン）、Ｎ−オレイルアスパラギン酸ビス（トリエタノールアミン）、Ｎ−アラキジルアスパラギン酸ビス（トリエタノールアミン）、Ｎ−ベヘニルアスパラギン酸ビス（トリエタノールアミン）、Ｎ−イソステアリルアスパラギン酸ビス（トリエタノールアミン）、Ｎ−ヤシ油アルキルアスパラギン酸ビス（トリエタノールアミン）、Ｎ−パーム核油アルキルアスパラギン酸ビス（トリエタノールアミン）、Ｎ−パーム油アルキルアスパラギン酸ビス（トリエタノールアミン）、Ｎ−ｎ−デシルアスパラギン酸（ナトリウム・カリウム）、Ｎ−ラウリルアスパラギン酸（ナトリウム・カリウム）、Ｎ−ミリスチルアスパラギン酸（ナトリウム・カリウム）、Ｎ−パルミチルアスパラギン酸（ナトリウム・カリウム）、Ｎ−ステアリルアスパラギン酸（ナトリウム・カリウム）、Ｎ−オレイルアスパラギン酸（ナトリウム・カリウム）、Ｎ−アラキジルアスパラギン酸（ナトリウム・カリウム）、Ｎ−ベヘニルアスパラギン酸（ナトリウム・カリウム）、Ｎ−イソステアリルアスパラギン酸（ナトリウム・カリウム）、Ｎ−ヤシ油アルキルアスパラギン酸（ナトリウム・カリウム）、Ｎ−パーム核油アルキルアスパラギン酸（ナトリウム・カリウム）、Ｎ−パーム油アルキルアスパラギン酸（ナトリウム・カリウム）等が例示される。
また、起泡性、泡質、水溶性及び保存安定性の観点から、Ｎ−ラウリルアスパラギン酸一ナトリウム、Ｎ−ラウリルアスパラギン酸一カリウム、Ｎ−ラウリルアスパラギン酸一トリエタノールアミン、Ｎ−ラウリルアスパラギン酸一アンモニウム、Ｎ−ミリスチルアスパラギン酸一ナトリウム、Ｎ−ミリスチルアスパラギン酸一カリウム、Ｎ−ミリスチルアスパラギン酸一トリエタノールアミン、Ｎ−ミリスチルアスパラギン酸一アンモニウム、Ｎ−パルミチルアスパラギン酸一ナトリウム、Ｎ−パルミチルアスパラギン酸一カリウム、Ｎ−パルミチルアスパラギン酸一トリエタノールアミン、Ｎ−パルミチルアスパラギン酸一アンモニウム、Ｎ−オレイルアスパラギン酸一ナトリウム、Ｎ−オレイルアスパラギン酸一カリウム、Ｎ−オレイルアスパラギン酸一トリエタノールアミン、Ｎ−オレイルアスパラギン酸一アンモニウム、Ｎ−ヤシ油アルキルアスパラギン酸一ナトリウム、Ｎ−ヤシ油アルキルアスパラギン酸一カリウム、Ｎ−ヤシ油アルキルアスパラギン酸一トリエタノールアミン、Ｎ−ヤシ油アルキルアスパラギン酸一アンモニウム、Ｎ−パーム核油アルキルアスパラギン酸一ナトリウム、Ｎ−パーム核油アルキルアスパラギン酸一カリウム、Ｎ−パーム核油アルキルアスパラギン酸一トリエタノールアミン、Ｎ−パーム核油アルキルアスパラギン酸一アンモニウム、Ｎ−パーム油アルキルアスパラギン酸一ナトリウム、Ｎ−パーム油アルキルアスパラギン酸一カリウム、Ｎ−パーム油アルキルアスパラギン酸一トリエタノールアミン、Ｎ−パーム油アルキルアスパラギン酸一アンモニウム、が推奨される。
これらは、本発明の洗浄剤組成物に１種で又は２種以上を適宜組み合わせて配合しても良い。
なお上記説明は、一般式（４）で表されるアスパラギン酸化合物の説明として重複する説明である。
【００２５】
本発明に係るアスパラギン酸誘導体において、一般式（２）における２つのＭ２が水素原子と水素原子以外のイオンとの組み合わせで表される誘導体が実質的に単一であるとき又は主成分であるときが、洗浄剤組成物に適した中性に近いｐＨになる点と適度な水溶性及び低温保存安定性を得やすい点から、推奨される好ましい態様である。
主成分のときの態様とは、２つのＭ２の組成比率、即ち水素原子と水素原子以外のイオンとの比率が、好ましくは水素原子：水素原子以外のイオン（当量比）＝３：１〜１：３、より好ましくは２：１〜１：２、特に１．５：１〜１ ：１．５の範囲にある態様である。このときのアスパラギン酸誘導体は、２つのＭ２の一方が水素原子で他方が水素原子以外のイオンであるものと、２つのＭ２が両方とも水素原子であるもの、２つのＭ２が両方とも水素原子以外のイオンであるものが混在していると推定される。
【００２６】
本発明に係るアスパラギン酸誘導体は、特に限定はなく、市販されているものや公知の方法で製造されたものを使用することができる。例えば製造方法としては、特開平５−１４００５９号公報や特開２００１−２６７９５号公報に記載の方法で製造することができる。一例として、マレイン酸又はその塩と水及び／又は水と親和性を示す有機溶媒とを混合して比較的高濃度の状態とし、次いで所望する脂肪族第一級アミンを加えてから加熱して付加反応させ、反応終了後に反応溶媒を減圧留去して乾燥し、この乾燥粗物を粉砕して残存する未反応の脂肪族第一級アミンを溶媒で加熱洗浄除去して、最後に減圧乾燥して製造する方法が例示される。
【００２７】
本発明に係る洗浄剤組成物における硫酸エステル塩とアスパラギン酸誘導体との合計の含有量は、本発明の効果を安定的に発揮させるために、１重量％以上であり、好ましくは２重量％以上、より好ましくは５重量％以上が推奨される。
また、本発明に係る洗浄剤組成物中の全界面活性剤に対して、硫酸エステル塩とアスパラギン酸誘導体との合計重量は、好ましくは５０重量％以上、より好ましくは６０重量％以上が推奨される。
【００２８】
また、本発明の洗浄剤組成物における硫酸エステル塩とアスパラギン酸誘導体との配合比率（重量比）は、好ましくは９０：１０〜３０：７０、より好ましくは８０：２０〜３０：７０が推奨される。当該配合比率の範囲において、よりきめが細かいクリーミーな泡が得られやすい点で優位性が認められる。
【００２９】
洗浄剤組成物の形態は、水溶液状、ペースト状、固体状、粉末状など、所望する目的・対象により任意に選択ができる。その形態の調製方法として、硫酸エステル塩、アスパラギン酸誘導体及び後述の他の成分の種類と配合量を適宜調整する方法などが挙げられる。
【００３０】
本発明の洗浄剤組成物の調製方法としては、（i）所定量の上記一般式（１）で表される硫酸エステル塩及び上記一般式（２）で表されるアスパラギン酸誘導体と、必要に応じて所望量の後述の他の成分とを配合して調製する方法、
（ii）硫酸エステル塩とアスパラギン酸誘導体の所望の量と同じになるように、上記一般式（３）で表される硫酸エステル、上記一般式（４）で表されるアスパラギン酸化合物及びアルカリ性化合物の配合量をそれぞれ算出した上で、それぞれの配合量の硫酸エステル、アスパラギン酸化合物及びアルカリ性化合物と、必要に応じて所望量の後述の他の成分とを配合して調製する方法、
（iii）前記（i）の調製方法において、硫酸エステル塩及び／又はアスパラギン酸誘導体の何れか一方又は一部を、硫酸エステル、アスパラギン酸化合物、アルカリ性化合物の構成に置き換えて調製する方法、即ちa)硫酸エステル塩とアスパラギン酸化合物及びアルカリ性化合物と必要に応じて所望量の後述の他の成分とを配合して調製する方法、b)アスパラギン酸誘導体と硫酸エステル及びアルカリ性化合物と必要に応じて所望量の後述の他の成分とを配合して調製する方法、c) 硫酸エステル塩、アスパラギン酸誘導体、硫酸エステル、アスパラギン酸化合物及びアルカリ性化合物と必要に応じて所望量の後述の他の成分とを配合して調製する方法（一部置換による方法）、などが例示される。
なお、前記（i）〜（iii）の調製方法で得られる洗浄剤組成物は、上記項４に記載の発明の説明にも該当する。上記項４に記載の工程（I）〜（IV）については、通常、一工程を選択して実施されるが、二以上選択して実施することも可能である。その場合、二以上の工程を逐次的に実施される（分割仕込）が、二以上の工程を同時に実施することも可能である。同時に実施するとは、例えば、硫酸エステル、硫酸エステル塩、アスパラギン酸誘導体、アスパラギン酸化合物及びアルカリ性化合物を同時に配合する操作を意味し、上記（iii）のｃ）に相当する。
上記項４に記載の工程の内、作業性や原材料の入手の容易性から、（I）工程及び（III）工程が推奨される。
【００３１】
一例として、より具体的に前記（i）の調製方法を用いて説明すると、液状(水溶液状)又はペースト状の洗浄剤組成物を所望する場合、例えば、所定量の硫酸エステル塩及びアスパラギン酸誘導体と必要に応じて所望量の他の成分を水に加えて溶解させて調製する方法が挙げられる。この場合、硫酸エステル塩とアスパラギン酸誘導体を含む全界面活性剤の合計の配合量は、有効成分として、好ましくは２〜５０重量％、より好ましくは５〜４０重量％が推奨される。
また、粉末状の洗浄剤組成物を所望する場合、例えば、所定量の硫酸エステル塩及びアスパラギン酸誘導体と必要に応じて所望量の他の成分（粉末状）とをドライブレンドする方法や、硫酸エステル塩及びアスパラギン酸誘導体と必要に応じて他の成分とを適量の水に加えて混合し、一旦高濃度ペースト状とした後、これを噴霧乾燥する方法等により調製する方法が挙げられる。固形状の洗浄剤組成物を所望する場合、例えば、所定量の硫酸エステル塩及びアスパラギン酸誘導体と必要に応じて所望量の他の成分（粉末状）に少量の水を加えてニートソープ状に練り、これを型枠等に入れて成形することにより調製する方法が挙げられる。これらの場合、硫酸エステル塩とアスパラギン酸誘導体を含む全界面活性剤の合計の配合量は、有効成分として、好ましくは１〜１００重量％が推奨される。
【００３２】
本発明に係るアスパラギン酸化合物は、上記一般式（４）で表される化合物である。アスパラギン酸化合物の説明は、上記アスパラギン酸誘導体の説明と重複する。
アスパラギン酸化合物は、特に限定はなく、市販されているものや公知の方法で製造されたものを使用することができる。例えば、アスパラギン酸誘導体（Ｍ２が水素原子以外で表されるもの。）を塩酸等の酸性化合物で処理し、そして有機合成化学の一般的手法による後処理（精製）を施すことにより、容易に調製することができる。
【００３３】
本発明に係るアルカリ性化合物は、上記一般式（３）で表される硫酸エステル及び／又は上記一般式（４）で表されるアスパラギン酸化合物を中和して、それぞれ、洗浄剤組成物中で、上記一般式（１）で表される硫酸エステル塩及び／又は上記一般式（２）で表されるアスパラギン酸誘導体を形成させる目的で配合されるものであり、その配合量は、少なくとも硫酸エステル塩及びアスパラギン酸誘導体が所定量を形成することができる量となるように調整する必要がある。前記アルカリ性化合物は、ｐＨ調整剤の目的で使用されることがあり、硫酸エステル塩及び／又はアスパラギン酸誘導体の形成目的と外形上異にするが、前者の目的或いは認識であったとしても実質的には当該形成目的を達成することができる。
アルカリ性化合物としては、一般式（１）におけるＭ１及び／又は一般式（２）におけるＭ２のカチオンを形成し得る塩基性を示す化合物であれば特に制限はないものの、好ましくは洗浄剤用途において通常配合される化合物が推奨される。
具体的には、水酸化ナトリウム、水酸化カリウム、炭酸ナトリウム、炭酸カリウム、炭酸水素ナトリウム、リン酸三ナトリウム、リン酸三カリウム、ピロリン酸四ナトリウム等の無機アルカリ性化合物、アンモニア（水）、モノエタノールアミン、Ｎ−メチルモノエタノールアミン、Ｎ−ブチルモノエタノールアミン、ジエタノールアミン、トリエタノールアミン、イソプロパノールアミン、２−ヒドロキシメチル−２−プロピルアミン、リシン、アルギニン等の有機アルカリ性化合物等が挙げられ、好ましくは水酸化ナトリウム、水酸化カリウム、トリエタノールアミン、アンモニア（水）が推奨される。
これらのアルカリ性化合物は、１種で又は２種以上を適宜組み合わせて使用することができる。
【００３４】
本発明の洗浄剤組成物には、本発明に係る硫酸エステル塩とアスパラギン酸誘導体の他に、一般的に洗浄剤に配合される他の成分を、本発明の効果が奏する範囲で配合することができる。他の成分としては、例えば、本発明に係る硫酸エステル塩以外のアニオン性界面活性剤、本発明に係るアスパラギン酸誘導体以外の両性界面活性剤、半極性界面活性剤、非イオン性界面活性剤、カチオン性界面活性剤などの各種界面活性剤、ポリオール、無機塩類、増粘剤、減粘剤、キレート剤、防腐剤、殺菌剤、色素（色剤）、香料、清涼剤、保湿剤、油性剤、コンディショニング剤、紫外線吸収剤、動植物のエキス、ハイドロトロープ剤、酸化防止剤、パール化剤などが例示される。
【００３５】
より具体的には、例えば、炭素数８〜１８の脂肪族アシル基を有するポリオキシエチレン（１〜５）脂肪酸モノエタノールアミドエーテル硫酸塩、炭素数８〜１８のアルキル基（又はアルケニル基）を有するポリオキシエチレン（１〜５）スルホコハク酸モノアルキル（又はアルケニル）エーテルエステル塩、炭素数８〜１８のアルキル基を有するアルカンスルホン酸塩、炭素数８〜２０の親油基を有するα−オレフィンスルホン酸塩、炭素数８〜１８の脂肪酸由来の脂肪酸塩、炭素数８〜１８のアルキル基（又はアルケニル基）を有するポリオキシエチレン（１〜７）アルキル（又はアルケニル）エーテル酢酸塩、炭素数８〜１８の脂肪族アシル基を有するポリオキシエチレン脂肪酸モノエタノールアミドエーテル酢酸塩、炭素数８〜１８の脂肪酸由来の脂肪族アシルアミノ酸塩（Ｎ−アシルグリシン塩、Ｎ−アシルサルコシン塩、Ｎ−アシルアラニン塩、Ｎ−アシル−Ｎ−メチルアラニン塩、Ｎ−アシル−Ｌ−グルタミン酸塩、Ｎ−アシル−Ｌ−アスパラギン酸塩）、炭素数８〜１８の脂肪族アシル基を有するＮ−脂肪族アシル−Ｎ−メチルタウリン塩、炭素数８〜１８の脂肪族アシル基を有するイセチオン酸エステル塩、炭素数８〜１８のアルキル基を有するモノアルキルリン酸エステル塩、炭素数８〜１８のアルキル基を有するポリオキシエチレン（１〜７）モノアルキルエーテルリン酸エステル塩などのアニオン性界面活性剤、
【００３６】
炭素数８〜１８のアルキル基を有するアルキルジメチルアミノ酢酸ベタイン、炭素数８〜１８のアルキル基を有するアルキルジメチルアミノヒドロキシスルホベタイン、炭素数８〜１８の脂肪族アシル基を有する脂肪酸アミドプロピルベタイン、炭素数８〜１８の脂肪族アシル基を有するアミドプロピルアミノヒドロキシスルホベタイン、炭素数８〜１８を有する脂肪酸由来のイミダゾリニウムベタイン型両性界面活性剤、炭素数８〜１８のアルキル基を有するＮ−アルキルアミノジ酢酸塩、Ｎ−アルキルアミノプロピオン酸塩、Ｎ−アルキルアミノジプロピオン酸塩、Ｎ−アルキルジアミノエチルグリシン塩等のＮ−アルキルアミノ酸型両性界面活性剤等の両性界面活性剤、
【００３７】
炭素数８〜１８のアルキル基を有するアルキルジメチルアミンオキシド、炭素数８〜１８のアシル基を有する脂肪酸アミドプロピルアミンオキシド等の半極性界面活性剤、
【００３８】
炭素数８〜１８の脂肪族アシル基を有するアルカノールアミド、炭素数８〜１８の脂肪族アシル基を有するポリオキシエチレン（１〜１０）脂肪酸アルカノールアミド、炭素数８〜１８のアルキル基を有するポリオキシエチレン（１〜２０）アルキルエーテル、炭素数８〜１４のアルキル基又はポリオキシエチレン（１〜７）アルキルエーテル基を有するアルキルポリグリコシド等の非イオン性界面活性剤、
【００３９】
ポリオキシエチレン（６０）セトステアリルヒドロキシミリスチレンエーテル、ポリオキシエチレン（６０）セチルステアリルジエーテル等のポリエーテル型増粘剤、ジステアリン酸ポリエチレングリコール（１５０）、テトラステアリン酸ポリオキシエチレン（１５０）ペンタエリスリット、トリイソステアリン酸ポリオキシエチレン（１６０）ソルビタン、ポリオキシエチレン（１２０）ジオイレン酸メチルグルコシド等のポリエーテルエステル型増粘剤、ヒドロキシエチルセルロース、ヒドロキシプロピルメチルセルロース、ポリアクリル酸ナトリウム、キサンタンガム等の水溶性高分子型増粘剤、硫酸ナトリウム、塩化ナトリウム等の無機塩型増粘剤、
【００４０】
プロピレングリコール、エチレングリコール、ブチレングリコール、ソルビトール、グリセリン等の保湿剤、炭化水素やエステル等の油性剤、メチルポリシロキサン及びその誘導体やカチオン化セルロース、カチオン化グアーガム等のコンディショニング剤、などが例示される。
【００４１】
かくして得られる洗浄剤組成物は、毛髪洗浄料、ボディソープ、ハンドソープ、洗顔料等の用途に極めて有用であり、その形態は、液状（水溶液状）、ペースト状、固体状、粉末状等と任意に選択も可能である。
【実施例】
【００４２】
以下、実施例を挙げて本発明を具体的に説明するが、これに限定されるものではない。なお、各実施例及び比較例における分析・評価は以下の方法で行った。実施例で使用した化合物は、市販品、試薬又は下記製造例で得た化合物を用いた。
【００４３】
［起泡性］
洗浄剤組成物の泡立ちについて、２０名のパネラーによる官能評価を行った。評価方法は、各パネラーが実際に使用したときの泡立ちの良否を集計し、次の評価基準に従って判定した。判定基準◎において、泡立ちが良いと評価される。
＜評価基準＞  
◎：２０名中１６名以上が良好な泡立ちであると評価
○：２０名中１１から１５名が良好な泡立ちであると評価
△：２０名中６から１０名が良好な泡立ちであると評価
×：２０名中５名以下が良好な泡立ちであると評価
【００４４】
［泡質］
ａ）泡密度（きめの細かさ）
１００ｍｌの共栓付きメスシリンダー（JIS R3550-1994）に人工硬水（アメリカ硬度：５０ｐｐｍ）で界面活性剤の含有量が２.５重量％となる濃度に希釈した洗浄剤組成物の水溶液１０ｍｌを入れ、測定温度２５℃にて、一定速度で３０秒間に６０回、手で振とうした。次いで１分間静置した後、直ちに１分間静置後の泡の体積（ｍｌ）及び１分間静置後の洗浄剤組成物水溶液の体積（ｍｌ）を目視によって測定した。この測定を３回行い、それぞれの測定値の平均を整数位まで求め、その平均値を「１分間静置後の泡の体積」、「１分間静置後の洗浄剤組成物水溶液の体積」とした。その泡の体積とその洗浄剤組成物水溶液の体積の数値から、次の式（１）を用いて泡密度（ｇ／ｍｌ）を算出した。泡密度の数値が大きいほどきめ細かい泡と評価される。なお、洗浄剤組成物水溶液の比重を１とみなして、泡密度を算出した。  
泡密度（ｇ／ｍｌ）＝（１０−洗浄剤組成物水溶液の体積）／（泡の体積）  （１）
ｂ）官能評価（クリーミー感）
泡のクリーミー感について、２０名のパネラーによる官能評価を行った。評価方法は、各パネラーが実際に使用したときのクリーミー感の有無を集計し、次の評価基準に従って判定した。判定基準◎が泡にクリーミー感が高いと評価される。
＜評価基準＞  
◎：２０名中１６名以上がクリーミーな泡であると評価
○：２０名中１１から１５名がクリーミーな泡であると評価
△：２０名中６から１０名がクリーミーな泡であると評価
×：２０名中５名以下がクリーミーな泡であると評価
【００４５】
［製造例］
攪拌機、温度計、窒素導入管、真空ポンプに接続できる冷却管付きデカンターを備えた四つ口フラスコ（容量；１Ｌ）に無水マレイン酸１３７．３ｇ（１．４モル）、イオン交換水１１３ｇを入れ、加熱せずに１時間攪拌して水和した。次に、水冷しながら水酸化ナトリウム５９．０ｇ（純度９５％、１．４モル）を徐々に加えてマレイン酸一ナトリウム塩とした。次に、ラウリルアミン２５９．５ｇ（１．４モル）を加えて、わずかに窒素を通気しながら湯浴中で昇温し、９０〜９７℃に加熱して１０時間反応した。半固体状の反応粗物を一旦冷却後、徐々に真空に切り替え、９０℃まで昇温しながら減圧脱水し、乾燥粗物とした。このものの未反応アミン含量から求めた反応率は９３％であった。これを乳鉢で粉砕し、５重量倍の９９．５％エタノール中で加熱洗浄し、室温まで冷却後不溶物を濾過で分取し、さらに減圧乾燥して、本発明に係るＮ−ラウリルアスパラギン酸一ナトリウム（粉末〜塊状）を得た。精製歩留まりは８８．８％、未反応アミンの含有率は０．７％であった。
なお、表１に記載の他のアスパラギン酸誘導体も製造例１と同様の手順にて調製して、それぞれ、Ｎ−ミリスチルアスパラギン酸一ナトリウム、Ｎ−ラウリルアスパラギン酸一カリウム、Ｎ−ラウリルアスパラギン酸一トリエタノールアミンを得た。無水マレイン酸の水和に用いるイオン交換水は、最終的に反応系中の目的物濃度が８０％程度となるに必要な量に調整した。
【００４６】
［実施例１〜１１及び比較例１〜３］
表１又は表２に記載の配合成分及び配合比率に従ってこれらを混合して、界面活性剤の合計の含有量が２５重量％となるようにイオン交換水を加えて濃度調整して、水溶液状の洗浄剤組成物を調製した。上記方法により、起泡性及び泡質を評価した。それらの評価結果を表１又は表２に示した。
【００４７】
［実施例１２〜１４］
表３に示す配合成分及び配合比率に従ってこれらを混合して、界面活性剤成分から理論的に生成するアスパラギン酸誘導体（即ち、Ｎ−ラウリルアスパラギン酸一ナトリウム）を含む界面活性剤の合計が２５重量％となるようにイオン交換水を加えて濃度調整して、水溶液状の洗浄剤組成物を調製した。上記方法により起泡性及び泡質を評価し、それらの評価結果を表３に示した。
【００４８】
【表１】
2013082802.tif 000007
【００４９】
【表２】
2013082802.tif 000008
【００５０】
【表３】
2013082802.tif 000009
【００５１】
表１〜表３で使用した化合物は以下の通りである。
ポリオキシエチレン（３）ラウリルエーテル硫酸ナトリウム；シノリンＳＰＥ−１３００（製品名，新日本理化株式会社製）
ココイルグルタミン酸ナトリウム；アミノサーファクトＡＣＤＳ−Ｌ（製品名，旭化成ケミカルズ株式会社製）
水酸化ナトリウム，水酸化カリウム，トリエタノールアミン，塩化ナトリム，グリセリン；試薬特級
Ｎ−ラウリルアスパラギン酸；上記Ｎ−ラウリルアスパラギン酸一ナトリウムをナトリウムの当量よりも過剰の塩酸で処理し、析出した固体を水洗して、減圧乾燥して調製した。
【００５２】
表１〜表３より、硫酸エステル塩とアスパラギン酸誘導体を併用することにより、泡立ちが良く、きめが細かいクリーミーな泡が得られることがわかる。特に硫酸エステル塩とアスパラギン酸誘導体の配合比率が９０：１０〜３０：７０の範囲において、よりきめが細かいクリーミーな泡が得られやすいことが判る。
【産業上の利用可能性】
【００５３】
本発明の洗浄剤組成物は、きめが細かいクリーミーな泡立ちの良い洗浄剤組成物であるので、近年の消費者の多種多様なニーズに対した付加価値のある末端製品（毛髪洗浄料、ハンドソープ、ボディソープ、洗顔料等）を設計することが可能となる。